(57)【要約】【課題】  油圧油を用いることなく、支持体内にスライド可能に取り付けられている少なくとも１つの弁を、カムによって作動させるための装置を提供する。【解決手段】  この装置は、弁軸（３ａ）の自由端の上方に取り付けられており、支持体（１）に相対的に変位可能であるタペット（８）と、タペットを、カム（２）に押し当てている、タペットのための復帰ばね手段（９）とを備えている。この装置は、さらに、好ましくはタペットの外部に位置しているコイル（２４）を有する電磁アクチュエータ（２２）と、コイルへの通電によって、タペットと弁（３）とが、一緒に並進運動することができるように結合しているロック状態と、タペット（８）が弁軸に相対的に自由にスライドすることができる非ロック状態との間で選択的に変位するように、電磁アクチュエータからの磁界の作用を受ける少なくとも１つのピン（１２）とを備えている電磁ロック手段を具備している。【選択図】図１
2014518352.tif 000002
【特許請求の範囲】
【請求項１】
支持体（１、１０１）内にスライド可能に取り付けられている少なくとも１つの弁（３、１０３）を、カム（２、１０２）によって作動させるための装置であって、前記弁の弁軸（３ａ、１０３ａ）の自由端の上方に取り付けられるようになされており、前記支持体（１、１０１）に相対的に変位可能であるタペット（８、１０８）と、前記タペット（８、１０８）を、前記カム（２、１０２）に押し当てるように適合化されている、前記タペットのための復帰ばね手段（９、１０９）とを備えている装置において、前記タペット（８、１０８）の外部に位置しているコイル（２４、１２４）を有する電磁アクチュエータ（２２、１２２）と、前記コイル（２４、１２４）への通電によって、前記タペット（８、１０８）と前記弁（３、１０３）とが、一緒に並進運動することができるように結合しているロック状態と、前記タペット（８、１０８）が前記弁軸（３ａ、１０３ａ）に相対的に自由にスライドすることができる非ロック状態との間で選択的に変位するように、前記電磁アクチュエータ（２２、１２２）からの磁界の作用を受ける少なくとも１つのピン（１２、１１２）とを備える電磁ロック手段を具備していることを特徴とする装置。
【請求項２】
前記タペット（８、１０８）は、前記弁（３、１０３）をスライド可能に受容するようになされている開口を有し、前記ピン（１２、１１２）は、前記タペット（８、１０８）と前記弁（３、１０３）とが一緒に並進運動するように、前記タペット（８、１０８）を拘束するために、前記ピン（１２、１１２）が前記開口内に突き出ている作動位置と、前記タペット（８、１０８）が前記弁軸（３ａ、１０３ａ）に相対的に自由にスライドすることを可能にするために、前記ピン（１２、１１２）が前記開口から後退している非作動位置との間で、前記弁（３、１０３）に直角にスライドするように構成されており、前記電磁アクチュエータ（２２、１２２）は、前記ピン（１２、１１２）を、前記作動位置と前記非作動位置との間で選択的に変位させるように構成されている、請求項１に記載の装置。
【請求項３】
前記ピン（１２、１１２〕は、前記タペット（８、１０８）内に完全に組み込まれている、請求項１または２に記載の装置。
【請求項４】
前記作動位置において、前記ピン（１２）は、前記弁（３）に固定されているスリーブ（１４）の受け溝（１７）内に受容されている、請求項２または３に記載の装置。
【請求項５】
前記作動位置において、前記ピン（１１２）は、前記タペット（１０８）を前記弁（１０３）にロックするために、前記弁軸（１０３ａ）の１つの端に押し当てられている、請求項２または３に記載の装置。
【請求項６】
前記ピン（１１２ａ、１１２ｂ）は、前記弁軸（１０３ａ）の前記端に押し当てられるように設計されている平面（１３０）を備えている、請求項５に記載の装置。
【請求項７】
前記電磁アクチュエータ（２２）のコイル（２４）から発生する磁界の軸方向成分が、前記ピン（１２）を変位させることができるように、前記電磁アクチュエータ（２２）のコイル（２４）は、前記弁（３）に直角に延在するように構成されている、請求項１〜６のいずれか１つに記載の装置。
【請求項８】
前記電磁アクチュエータ（１２２）のコイル（１２４）から発生する磁界の半径方向成分が、前記ピン（１１２ａ、１１２ｂ）を変位させることができるように、前記電磁アクチュエータ（１２２）のコイル（１２４）は、前記弁（１０３）に平行に延在するように構成されている、請求項１〜６のいずれか１つに記載の装置。
【請求項９】
前記ピン（１１２ａ、１１２ｂ）を２つ以上備えている、請求項１〜８のいずれか１つに記載の装置。
【請求項１０】
前記電磁ロック手段は、前記タペット（１０８）のロックの実行や解除を行うために、互いに逆向きにスライドすることができる、直径方向に対向し合っている２つのピン（１１２ａ、１１２ｂ）を有している、請求項９に記載の装置。
【請求項１１】
前記ピン（１２）の各々は、それぞれ１つの電磁アクチュエータ（２２）と組み合わされている、請求項９または１０に記載の装置。
【発明の詳細な説明】
【技術分野】
【０００１】
本発明は、内燃エンジンの制御、特に４サイクルの内燃エンジンの制御、より詳細には、４サイクルの内燃エンジン（例えばガソリンエンジン）の吸気弁の脱結合の制御の分野に関する。
【背景技術】
【０００２】
内燃エンジンは、複数の燃焼室（すなわち燃焼シリンダ）を画定しているエンジンブロックを備えている。各燃焼室の一端はシリンダヘッドによって、同じく他端は、燃焼室の内部にスライド可能に受容されているピストンによって閉じられている。各燃焼室は、空気と燃料との混合気を注入するための手段、および既燃ガスを排出するための手段と組み合わされている。内燃エンジンの効率は、燃焼室を満たしている空気の量に顕著に関連する。
【０００３】
内燃エンジンの効率を上げるためには、内燃エンジンを、充填率が最大の領域で動作させることが望ましい。エンジンの負荷が低い場合には、内燃エンジンの制御システムは、エンジンの負荷に対処するために必要なだけの量の空気しか通さない場合がある。そのため、内燃エンジンにハンチングが発生し、エンジンの効率が低下することとなる。特に、内燃エンジンが半負荷状態で動作しているときに、最適動作範囲を大きくするために、燃焼室の半分を作動停止させて、動作している燃焼室の負荷を増大させることが公知である。
【０００４】
いくつかの燃焼室の吸気弁および排気弁を使用不能にすることによって、それらの燃焼室の作動を停止させることができる。
【０００５】
そのために、特許文献１に開示されているように、少なくとも１つの弁を、カムによって作動させるようにした装置が公知である。このような装置は、シリンダヘッド内でスライドすることができ、弁ばねによって安定した閉弁位置に維持される弁を備えている。弁は、燃焼室に空気を供給するための、その燃焼室に通じている吸気孔、または燃焼によって生じた燃焼ガスを、燃焼室から逃がすための排気孔を塞ぐために用いられる。弁軸は、スリーブ内に挿入されている静圧スラスト軸受に接している。タペットが、スリーブに相対的にスライド可能に取り付けられている。カムシャフトが、スリーブまたはタペットに作用を及ぼすことによって、弁を作動させる。油圧油を供給されるアクチュエータの作用によって変位することができるピンを用いて、スリーブがタペットと結合している結合モードと、タペットがスリーブに相対的に自由にスライドすることができる脱結合モードとの間の選択がなされる。ピンを用いるこのアクチュエータには、油圧回路から、エンジンによって駆動される油圧ポンプによって生じる圧力を供給される。
【０００６】
しかしながら、この装置は、油圧回路および複数のカムを有するカムシャフトの使用を必要とするから、この装置は使いにくい。そのような装置を調子よく動かす装置の複雑さとは別に、油圧を利用するアクチュエータの応答時間は長すぎるので、効果的なエンジン管理ストラテジーを設定することが困難である。油圧を利用するアクチュエータの応答時間は、油圧回路のフィード圧や温度に、したがって、エンジンの動作状態に直接依存する。
【先行技術文献】
【特許文献】
【０００７】
【特許文献１】米国特許第５８７８７０５号公報
【発明の概要】
【発明が解決しようとする課題】
【０００８】
本発明は、上述の欠点のうちの少なくともいくつかを除くことができる、カムによって少なくとも１つの弁を作動させる装置を提供することを目的とする。
【課題を解決するための手段】
【０００９】
上述の目的を達成するために、本発明は、支持体内にスライド可能に取り付けられている少なくとも１つの弁を、カムによって作動させるための装置を提供する。この装置は、弁の弁軸の自由端に取り付けられるようになされており、支持体に相対的に変位可能であるタペットと、タペットを、カムに押し当てるように適合化されている、タペットのための復帰ばね手段とを備えている。この装置は、さらに、タペットと弁とが、一緒に並進運動することができるように結合しているロック状態と、タペットが弁軸に相対的に自由にスライドすることができる非ロック状態との間で選択的に作動するように適合化されている電磁ロック手段を具備している。
【００１０】
弁を作動させるためのこの装置は、具体的には、カムによって直接的に駆動される、すなわち、カムが、何らの仲介要素も介することなく、この装置に接することによって駆動される。電磁ロック手段を用いることによって、応答時間を短くし、かつ油圧回路を省くことができる。これによって、弁を作動させるためのこの装置を、シリンダヘッドなどの支持体内へ組み込むことが容易になる。
【００１１】
タペットは、弁をスライド可能に受容するようになされている開口を有しており、電磁ロック手段は、タペットと弁とが一緒に並進運動するように、タペットを拘束するために、開口内に突き出ている作動位置と、タペットが弁軸に相対的に自由にスライドすることを可能にするために、開口から後退している非作動位置との間で、弁に直角にスライドするように構成されている、少なくとも１つのピンを有しており、電磁ロック手段は、さらに、ピンを、作動位置と非作動位置との間で選択的に変位させる電磁アクチュエータを有していることが好ましい。
【００１２】
したがって、ピンは遠隔操作される、すなわち、タペット内で働く１つの部材を構成しているピンと、電磁アクチュエータとは、機械的に接していない。
【００１３】
例えば電磁アクチュエータは、電磁ロック手段（ピン）がカムから強制力を受けていないときしか磁界を発生させない。これは、具体的には、カムの背面（最低部）がタペットに接している場合に相当する。
【００１４】
電磁アクチュエータは、タペットの外部にあることが好ましい。その場合には、電磁アクチュエータは、タペットと一緒に並進運動することはない。したがって、電磁アクチュエータがタペット内に取り付けられている場合に、電磁アクチュエータに電流を供給するために必要な可動コネクタは、この場合には存在しない。可動コネクタは、通常、壊れやすく、多数回のサイクルを経て破損する危険性がある。具体的には、電磁アクチュエータは静止状態にあり、とりわけ、支持体内に位置するようになされている。
【００１５】
ピンは、タペット内に完全に組み込まれていることが好ましい。その場合には、ピンは、支持体に接するようになることはない。したがって、弁を作動させるこの装置は、弁を作動させる際に摩擦を受けることはほとんどない。
【００１６】
発生する磁界の軸方向成分が、ピンを変位させることができるように、電磁アクチュエータは、弁に直角に延在する磁気コイルを有していることが好ましい。
【００１７】
特に、この磁気コイルは、ピンの変位方向に実質的に平行なコイル軸を有していることが好ましい。
【００１８】
磁気コイルは、具体的には、支持体内に組み込まれており、支持体に対して不動となっている。
【００１９】
作動位置において、ピンは、タペットを弁にロックするために、弁軸の一端に当接していることが好ましい。
【００２０】
電磁ロック手段は、タペットのロックの実行や解除を行うために、互いに逆向きにスライドすることができる、直径方向に対向している２つのピンを有していることが好ましい。
【００２１】
発生する磁界の半径方向成分が、ピンを変位させることができるように、電磁アクチュエータは、弁に平行に延在する磁気コイルを有していることが好ましい。
【００２２】
特に、この磁気コイルは、ピンの変位方向に実質的に直角なコイル軸を有していることが好ましい。
【００２３】
各ピンは、弁軸の端に押し当てられるようになっている平面を備えていることが好ましい。
【００２４】
この装置は、ピンを２つ以上備えていることが好ましい。
【００２５】
各ピンは、それぞれ、１つの電磁アクチュエータと組み合わされていることが好ましい。
【００２６】
本発明は、さらに、支持体内にスライド可能に取り付けられている少なくとも１つの弁を、カムによって作動させるための装置を提供するものである。この装置は、弁の弁軸の自由端の上方に取り付けられるようになされており、支持体に相対的に変位可能であるタペットと、タペットを、カムに押し当てるようになっている、タペットのための復帰ばね手段とを備え、さらに、好ましくはタペットの外部に位置しているコイルを有する電磁アクチュエータと、コイルへの通電によって、タペットと弁とが、一緒に並進運動することができるように結合しているロック状態と、タペットが弁軸に相対的に自由にスライドすることができる非ロック状態との間で選択的に変位するように、電磁アクチュエータからの磁界の作用を受ける少なくとも１つのピンとを備えている電磁ロック手段を具備していることを特徴としている。
【００２７】
この装置は、上述の特徴の１つ以上を備えていることがある。
【００２８】
特に、一実施形態においては、タペットは、弁をスライド可能に受容するようになっている開口を有し、ピンは、弁に相対的なタペットの並進運動を阻止するために、ピンが開口内に突き出ている作動位置と、タペットが弁軸に相対的に自由にスライドすることを可能にするために、ピンが開口から後退している非作動位置との間で、弁に直角にスライドするように構成されており、電磁アクチュエータは、ピンを、作動位置と非作動位置との間で選択的に変位させるように構成されている。
【００２９】
本発明の非限定的ないくつかの実施形態に関する以下の説明を読むことによって、本発明の上記した以外の特徴および利点が明らかになると思う。
【図面の簡単な説明】
【００３０】
【図１】本発明の第１の実施形態による、弁を作動させる装置の、結合モードにおける縦断面図である。
【図２】結合モードにおける図１の装置を、弁全体とともに示す縦断面図である。
【図３】脱結合モードにおける図１の装置を、弁全体とともに示す縦断面図である。
【図４】本発明の第２の実施形態による、弁を作動させる装置の、脱結合モードにおける縦断面図である。
【図５】結合モードにおける、図４の装置を、弁全体とともに示す縦断面図である。
【図６】脱結合モードにおける、図４の装置を、弁全体とともに示す縦断面図である。
【発明を実施するための形態】
【００３１】
非限定的ないくつかの例として与えられる添付図面を参照する。
【００３２】
図１は、内燃エンジンに用いられる、本発明の第１の実施形態による装置を詳細に示している。内燃エンジン自体の構造は公知であるので、本明細書においては、これについて詳細に説明しない。この装置は、支持体を構成しているシリンダヘッド１上に取り付けられている。この装置は、回転シャフトに固定されているカム２の運動を、シリンダヘッド１の壁内に取り付けられている弁３（図１においては、弁３の弁軸３ａの端部４しか示されていない）に、軸Ｘに沿うスライド運動として選択的に伝達するように構成されている。弁３は、燃焼室すなわち燃焼シリンダ（図示せず）の開閉を行うことができる。カム２の運動は、直接伝達される。装置の全体が、後述する図２および図３に、より明瞭に示されている。
【００３３】
弁３の弁軸３ａの端部４には、ばね受け５が備えられている。このばね受け５は、公知のように、固定用の２つの半円錐体６を介して、弁３の弁軸３ａに固定されている。ばね受け５は、弁３を閉弁状態に保つために、その第１の面５ａ上に、シリンダヘッド１に押し当てられている弁ばね７を受けている。このような弁構造は、当業者には公知であるので、本明細書においては、これ以上詳細に説明しない。
【００３４】
この装置は、弁３の軸と同じ軸Ｘに沿ってスライドできるように、シリンダヘッド１の内壁内に取り付けられており、かつカム２に接しているタペット８を備えている。タペット８とカム２とを密着させるために、タペットばね９が、ばね受け５の第２の面５ｂ、およびタペット８の下面に押し当てて、タペット８の内部に配置されている。タペット８は、シリンダヘッド１の内壁に形成された溝１１内に受容されている相補的なコッタ１０によって、シリンダヘッド１に相対的に回り止めされている。したがって、タペット８は、シリンダヘッド１に相対的な角運動を止められており、シリンダヘッド１と相対的に並進運動するだけである。
【００３５】
タペット８の中央に、軸Ｘに沿って延びる受け溝が設けられている。タペット８のこの受け溝には、その内部を自由にスライドするようになっているスリーブ１４が収容されている。スリーブ１４は、タペット８に形成された溝１６の内部に受容されている相補的なコッタ１５を備えている。したがって、スリーブ１４は、タペット８に相対的な角運動を止められており、弁３の軸Ｘに沿う並進運動しか行うことができない。
【００３６】
スリーブ１４の中央には、弁３の弁軸３ａの端部４と接している、クリアランスを吸収するためのシム２０が挿入されている穿孔が設けられている。スリーブ１４、シム２０、および弁軸３ａは、スリーブ１４からの力を弁３に伝達するように適合化された、軸Ｘの方向に延在する、複数の剛性要素から成るスタックを形成している。
【００３７】
図１に示すように、スリーブ１４およびタペット８は、カム２のための支持平面を確定するようになっている。しかしながら、カム２（この例においては、二重ローブ状のカム）は、タペット８上にのみ押し当てられるようになっている。カム２が、二重ローブ状の形状を呈しているために、タペット８へのカム２の接触エリアは、軸Ｘの両側に分配されている。そのため、力がバランスされ、部品の摩耗は小となっている。
【００３８】
この装置は、さらに、強磁性体から成るピン１２を有する電磁ロック手段を備えている。強磁性体から成るピン１２は、タペット８の変位の軸Ｘに直交する軸Ｙに沿って、タペット８に形成されている穿孔中を自由にスライドすることができる。
【００３９】
スリーブ１４は、軸Ｙの方向に延びており、ピン１２の端部を受容するようになっている円筒状の受け溝１７を有している。
【００４０】
この電磁ロック手段は、さらに、ピン１２を２つの極限位置間で変位させるための電磁アクチュエータ２２を有している。電磁アクチュエータ２２は、磁気コイル２４、および磁気コイル２４から放射される磁界を導くための強磁性体から成る磁心２５を内部に有する本体２３を備えている。
【００４１】
電磁アクチュエータ２２の磁気コイル２４から放射される磁界を、実質的に、ピン１２の変位の軸、すなわち軸Ｙに沿って導くために、電磁アクチュエータ２２の本体２３は、ピン１２と一直線上に並ぶようにシリンダヘッド１内に配置されている。したがって、磁気コイル２４に電流が流れると、ピン１２は、電磁アクチュエータ２２からの磁界の作用によって変位する。言い換えると、ピン１２は、電磁アクチュエータ２２の磁力、具体的には、磁気コイル２４によって生成される磁力の軸方向成分の作用を受けて変位する。
【００４２】
磁気コイル２４は、ピン１２の変位の方向に実質的に平行なコイル軸を有している。
【００４３】
電磁アクチュエータ２２は、さらに、ピン１２を、電磁アクチュエータ２２の本体２３から遠ざけるように付勢するピンばね２６を有している。より正確に言えば、ピンばね２６は、ピン１２を、スリーブ１４の受け溝１７内に突き出た位置に保持しようとする。
【００４４】
電磁アクチュエータ２２の本体２３、ピン１２、および受け溝１７が、同一平面上に並ぶことができるように、タペット８、スリーブ１４、およびシリンダヘッド１は、互いに対して相対的な角運動を行うことを止められている。
【００４５】
電磁アクチュエータ２２は、スリーブ１４とタペット８とが相互に結合されるように、ピン１２がスリーブ１４の受け溝１７内に突き出ている作動位置と、スリーブ１４とタペット８との間の結合が解かれるように、ピン１２が受け溝１７から後退している非作動位置との間で、ピン１２を変位させることができる。
【００４６】
図２は、ピン１２が、タペット８とスリーブ１４とを結合している作動位置を占めているときの装置を示している。カム２の運動は、タペット８に、次にスリーブ１４に、次いでシム２０に、最後に弁３に逐次的に伝達される。この作動位置においては、カム２が、弁３を変位させる。したがって、燃焼室の内部と外部との間で、フレッシュガス（吸入ガス）と既燃ガス（排気ガス）との交換が可能である。
【００４７】
図３は、ピン１２が非作動位置を占めているときの、脱結合モードにある装置を示している。この脱結合モードにおいては、タペット８は、シリンダヘッド１に相対的に、またスリーブ１４とシム２０と弁３とを含むスタックに相対的に自由にスライドすることができる。タペットばね９が、弁ばね７より軟らかいために、カム２の運動は、タペット８にしか伝達されず、弁３の閉弁状態は持続される。したがって、ピン１２が非作動位置を占めているときには、カム２は、弁３との結合を解かれており、弁３の閉弁状態は持続される。
【００４８】
この実施形態においては、ピン１２はただ１つであり、また電磁アクチュエータ２２もただ１つである。当然ながら、この装置は、弁の近傍で、この装置の周囲に分配された複数の電磁アクチュエータ、および複数のピンを備えていることもある。
【００４９】
シム２０は、部品の摩耗によって生じるクリアランスを吸収するために、静圧スラスト軸受を備えていることが好ましい。このような静圧スラスト軸受は、それ自体としては公知であるので、本明細書においては、これ以上の言及は行わない。
【００５０】
本発明のいくつかの変形実施形態も可能である。図４は、本発明の第２の実施形態による装置を詳細に示している。この第２の実施形態は、第１の実施形態と共通の多数の部分を有している。したがって、この第２の実施形態においては、第１の実施形態の部分と同一または同等の部分には、第１の実施形態における符号に１００を足した符号を付してある。例えばタペットに対する符号として、第１の実施形態においては８を使用しているのに対して、この第２の実施形態においては、１０８を使用している。
【００５１】
第２の実施形態においては、第１の実施形態におけるように、この装置は、支持体を形成しているシリンダヘッド１０１上に搭載されており、カム１０２の運動を、弁ばね１０７の作用によって閉弁位置に保たれている弁１０３に選択的に伝達する。すなわち、弁ばね１０７は、弁１０３に、弁１０３が吸気孔または排気孔を閉じるような復帰力を付与している。
【００５２】
この装置は、ほぼ釣鐘状の形状を有するタペット１０８を備えている。タペット１０８は、シリンダヘッドに形成されている穿孔内をスライドする円筒状の壁、およびカム１０２を押し当てられているカバー１０８ａを有している。
【００５３】
タペット１０８の内部には、スリーブ１１４が設けられている。スリーブ１１４も、ほぼ釣鐘状の形状を有し、タペット１０８の内部に挿入されており、タペット１０８に強固に連結されている。スリーブ１１４は、クリアランスを吸収するためのシム１２０によって、タペット１０８のカバー１０８ａから空間的に隔てられている第１の壁１１４ａを有している。スリーブ１１４は、タペット１０８のカバー１０８ａから空間的に隔てられている第２の壁１１４ｂを有しており、それらの間には、自由空間が残されている。第２の壁１１４ｂの中央には、弁３の弁軸が自由にスライドすることができる受け溝が設けられている。
【００５４】
したがって、弁１０３の弁軸１０３ａは、スリーブ１１４内を、スリーブ１１４の第１の壁１１４ａと第２の壁１１４ｂとの間で、高さＨにわたって自由にスライドすることができる。
【００５５】
この装置は、さらに、スリーブ１１４の２つの穿孔内に１つずつ収容されており、直径方向に対向し合っている、強磁性体から成る２つのピン１１２ａおよび１１２ｂを有する電磁ロック手段１２２を備えている。これらの穿孔は、スリーブ１１４の受け溝に通じており、また弁１０３がスライドする軸Ｘに直交する方向に延びている。各ピン１１２（ピン１１２ａまたは１１２ｂ）は、弁軸１０３ａがスリーブ１１４中をスライドすることを阻止するように、ピン１１２が受け溝の領域に突き出ている作動位置と、弁軸１０３ａがスリーブ１１４中を自由にスライドすることができるように、ピン１１２が受け溝の領域から後退している非作動位置との間で、穿孔内をスライドすることができる。
【００５６】
電磁ロック手段１２２は、各ピン１１２に対して、１つのピンばね１２６を有している。ピンばね１２６によって、ピン１１２は、作動位置に保たれるように付勢されている。
【００５７】
したがって、２つのピン１１２が作動位置にあるときには、弁１０３は、タペット１０８に対して不動とされており、そのため、カム１０２の運動が弁３に伝達される。したがって、弁１０３は、カム１０２に結合されている（図５を参照）。
【００５８】
２つのピン１１２が非作動位置にあるときには、弁３の弁軸は、２つのピン１１２によってロックされておらず、高さＨにわたって、スリーブ１１４内をスライドすることができる（図４および図６を参照）。したがって、弁１０３は、カム１０２から脱結合している。より正確に言うと、カム１０２の運動は、タペット１０８にしか伝達されず、したがって、タペット１０８は、シリンダヘッド１０１および弁１０３に相対的にスライドする。
【００５９】
スリーブ１１４の中において、弁３の弁軸の変位し得る高さＨは、最小でも、カム１０２によって弁１０３に与えられる変位量に等しい。したがって、脱結合モードにおいて、カム１０２の運動によって、弁１０３が開弁状態になることは決してない。
【００６０】
電磁ロック手段１２２は、ピン１１２を変位させるための少なくとも１つの電磁アクチュエータ１２２を有している。図４〜図６に示すように、電磁アクチュエータ１２２は、環状の１つの磁気コイル１２４を収容している本体１２３を備えている。磁気コイル１２４は、シリンダヘッド１０１内に組み込まれており、弁１０３の変位の軸Ｘに実質的に一致する軸を有する磁界を発生させるように、タペット１０８の周囲に輪環状に巻かれている。このような磁界によって、シリンダヘッド１０１に相対的な、ピン１１２ａおよび１１２ｂの角運動を止めることなく、磁気コイル１２４に関して半径方向に延在しているピン１１２ａおよび１１２ｂを変位させることができる。この第２の実施形態においては、タペット１０８は、回転しても構わない。磁気コイル１２４が、タペット１０８の周囲に巻かれているから、タペット１０８の角度位置に関係なく、磁気駆動が可能である。すなわち、ピン１１２は、電磁アクチュエータ１２２による（具体的には磁気コイル１２４によって生成される）磁力の半径方向成分の作用を受けて変位する。
【００６１】
詳細には、磁気コイル１２４は、ピン１１２の変位の方向に実質的に直交するコイル軸を有している。
【００６２】
スリーブ１１４は、磁気コイル１２４による磁界を、ピン１１２のスライドする軸に沿うように導くための強磁性体部分を含んでいることが好ましい。
【００６３】
各ピン１１２は、その端部に、弁軸１０３ａの端に接することができるようになっている平面１３０を有していることが、より好ましい。その場合には、ピン１１２と弁軸１０３ａとの間の接触は、平面同士の接触となり、２つの部分の間の接触圧力（ヘルツ圧とも呼ばれる）が低減する。
【００６４】
平面１３０が弁軸１０３ａの端に対向する位置を占めることができるように、スリーブ１１４に相対的なピン１１２の角運動を止めることによって、２つの部分の間の接触を良好にすることができる。ピン１１２の回転止めは、例えばコッタを用いて行われる。
【００６５】
この第２の実施形態においては、直径方向に対向し合う２つのピンが用いられている。しかしながら、ただ１つのピンしか用いられない場合もあるし、逆に、３つ以上のピンが用いられる場合もある。
【００６６】
第１の実施形態の場合のように、クリアランスを吸収するためのシム１２０は、バルブクリアランスを吸収するために、静圧スラスト軸受を備えている場合がある。バルブクリアランスは、例えば０．０５〜０．２ｍｍの範囲に定められる。このように定めることによって、あらゆる場合において、例えば全動作温度において、弁をその弁座上に確実に静止させることができる。
【００６７】
結合モードから脱結合モードへの変更、および脱結合モードから結合モードへの変更は、ピン１２、１１２が、受け溝１７、１１７と一直線上に並んでいるとき、すなわちタペット１４、１１４が上死点位置に、すなわちカム１０２の基礎円上にあるときに行われることが好ましい。したがって、非常に短い時間で、ピン１２、１１２の、受け溝１７、１１７への嵌め込みおよび抜き出しを行わなければならない。例えばエンジン速度が４０００ｒｐｍであり、１ストロークが２４０°のクランクシャフト角度にわたる場合において、弁３、１０３が用いられる際には、結合モードと脱結合モードとの間の移行を行うために、ピン１２、１１２の変位を、約２０ｍｓ以内で行わなければならない。
【００６８】
当然ながら、本発明は、上述の実施形態に限定されず、請求項によって定められる本発明の範囲内の任意の全ての変形例を包含する。
【００６９】
特に、ピンばね２６、１２６を省くことができるように、電磁アクチュエータ２２、１２２は、磁性体であるピン１２、１１２を有する双安定タイプであってもよい。その場合には、ピン１２、１１２は、安定した第１の作動位置と安定した第２の非作動位置との間を変位する。
【００７０】
別の電磁アクチュエータを用いることもできる。例えば自身に連結されたクランクを駆動して、ピン１２を変位させるロータリーアクチュエータ（ステッピングモータタイプの）を用いることができる。ロータリーアクチュエータの回転軸は、弁の変位する軸Ｘに平行であることが好ましい。
【００７１】
上述の特性を有するために、本発明による装置は、コンパクトで、非常に簡単であり、かつタペット８、１０８のための穿孔を単に開け直すことによって、既存の多種多様なシリンダヘッド１、１０１に組み込むことができる。いかなる油中子（オイルナット）も用意する必要がない。この装置は、さらに、脱結合システムを、弁３、１０３ごとに独立させることができる。
【符号の説明】
【００７２】
１、１０１  シリンダヘッド
２、１０２  カム
３、１０３  弁
３ａ、１０３ａ  弁軸
４  端部
５  ばね受け
５ａ  第１の面
５ｂ  第２の面
６  半円錐体
７、１０７  弁ばね
８、１０８  タペット
９  タペットばね
１０、１５  コッタ
１１、１６  溝
１２、１１２、１１２ａ、１１２ｂ  ピン
１４  スリーブ
１７  受け溝
２０、１２０  シム
２２  電磁アクチュエータ
２３、１２３  本体
２４、１２４  磁気コイル
２５  磁心
２６、１２６  ピンばね
１０８ａ  カバー
１１４ａ  第１の壁
１１４ｂ  第２の壁
１２２  電磁アクチュエータ（電磁ロック手段）
Ｘ、Ｙ  軸
【図１】
2014518352.tif 000003
【図２】
2014518352.tif 000004
【図３】
2014518352.tif 000005
【図４】
2014518352.tif 000006
【図５】
2014518352.tif 000007
【図６】
2014518352.tif 000008
【国際調査報告】
2014518352.tif 000009
2014518352.tif 000010
2014518352.tif 000011
2014518352.tif 000012
2014518352.tif 000013
2014518352.tif 000014